(57)【要約】      （修正有）【課題】製造を極めて容易にする事ができ、軽量化、かつ低価格化が容易で、使い捨てあるいはリサイクルが可能であり、使用時の所定形状が保持されると共に、使用時の所定形状の変形にたいする強度を、未使用時に比べて向上させる事ができ、被清掃面に付着した塵埃等を吸引すると共に、拭く事ができる構成も採用できる電気掃除機用吸込具を提供する。【解決手段】被清掃面に付着した塵埃等を吸引する為の電気掃除機に使用する電気掃除機用吸込具１において、前記電気掃除機用吸込具１は可撓性あるいは弾性を有する板状材７を曲げるか折るかあるいは接合する事により所定形状の中空構造体２が形成されてあると共に、前記中空構造体２は塵埃吸引用の吸込口５、及び前記電気掃除機に連通可能な接続部６を有し、前記塵埃吸引時に前記中空構造体２の内部に発生した負圧により前記中空構造体２の所定形状が保持されてあるものである。【選択図】図１
2006087864.tif 000002
【特許請求の範囲】
【請求項１】
被清掃面に付着した塵埃等を吸引する為の電気掃除機に使用する電気掃除機用吸込具において、前記電気掃除機用吸込具は可撓性あるいは弾性を有する板状材を曲げるか折るかあるいは接合する事により所定形状の中空構造体が形成されてあると共に、前記中空構造体は塵埃吸引用の吸込口、及び前記電気掃除機に連通可能な接続部を有し、前記塵埃吸引時に前記中空構造体の内部に発生した負圧により前記中空構造体の所定形状が保持されてあることを特徴とする電気掃除機用吸込具。
【請求項２】
請求項１記載の構成よりなる電気掃除機用吸込具において、前記吸込口の近傍に不織布、織布、あるいは紙よりなる拭き部材が形成されてあることを特徴とする電気掃除機用吸込具。
【請求項３】
請求項１あるいは２記載の構成よりなる電気掃除機用吸込具において、前記可撓性あるいは弾性を有する板状材が紙あるいはポリエチレンテレフタレートにて形成されてあることを特徴とする電気掃除機用吸込具。
【請求項４】
請求項１から３のいずれかに記載の構成よりなる電気掃除機用吸込具において、互いの前記板状材あるいは前記板状材と前記拭き部材が接着剤、両面テープ、粘着テープ、ホッチキス、粘着剤、圧着、溶着、挟み込み、縫製のいずれかにて接合されてあることを特徴とする電気掃除機用吸込具。
【発明の詳細な説明】
【技術分野】
【０００１】  本発明は、被清掃面に付着した塵埃等を吸引する為の電気掃除機に使用する電気掃除機用吸込具に関するものである。
【背景技術】
【０００２】従来の被清掃面に付着した塵埃等を吸引する為の電気掃除機に使用する電気掃除機用吸込具に関しては、さまざまな改良がなされ、例えば、底面に吸込口を開口し上方が開口した略箱状の下部ケースと、この下部ケースに内周面が連続して一体に設けられこの下部ケースとともに上方が開口した略半円筒状で軸方向の開口している両側縁に前記下部接合部を有する下部筒部と、前記下部ケースの上面を覆う下方が開口した略箱状の上部ケースと、この上部ケースに内周面が連続して一体に設けられこの上部ケースとともに下方が開口した略半円筒状で軸方向の開口している両側縁に前記下部接合部に接合する上部接合部を有し前記下部筒部との接合により略円筒状の接続管を形成する略半円筒状の上部筒部と、前記下部ケースおよび前記上部ケース間に設けられ折り返すことにより前記下部ケースおよび前記上部ケースが接合される連結部とを具備したことを特徴とする電気掃除機の吸込口体が、電気掃除機の吸込口体として、特開平１０−３３４２１号公報に、開示されてある。【０００３】  また、例えば、一端に塵埃吸込用の吸込口を、他端に電気掃除機に連通するように接続される接続部を備えた本体を、可撓性を有する板状材を折るかあるいは曲げて形成した電気掃除機用吸込具が、電気掃除機用吸込具並びにそれを用いた電気掃除機として、特開２００１−３３３８７５号公報に、開示されてある。【０００４】  従来の電気掃除機用吸込具に関しては、上記の如くの改良がされてあるが、特開平１０−３３４２１号公報に開示されてある技術においては、上記の如く、略箱状の上部ケース及び略半円筒状の上部筒部にたいして、略箱状の下部ケース及び略半円筒状の下部筒部を連結部を介して折り返すことにより接合させる構成となっている。その為、略箱状の上部ケース、略半円筒状の上部筒部、略箱状の下部ケース、略半円筒状の下部筒部、及び連結部からなる複雑な形状の一体構造体を製作する事が必要である為、製造方法が、例えば、プレス成形等の方法に限定されると共に、製造する為の設備及び金型が必要であるという課題を有していた。また、特開２００１−３３３８７５号公報に開示されてある技術においては、上記の如くの構成を有すると共に、使用時に、吸込口がふさがれた時であっても風の流れを遮断する事がないように、本体の外周に開口を設ける事により、電気掃除機用吸込具の変形を防止する構成が採用されてあるが、使用時の電気掃除機用吸込具の強度を、末使用時に比べて向上させる事はできないという課題を有していた。また、被清掃面に付着した塵埃等を吸引する事は可能であるが、塵埃等を吸引すると共に被清掃面を拭く事はできないという課題も有していた。【０００５】
【特許文献１】  特開平１０−３３４２１号公報
【特許文献２】  特開２００１−３３３８７５号公報
【発明の開示】
【発明が解決しようとする課題】
【０００６】  本発明は、上記のような課題を解決する為になされたもので、製造を極めて容易にする事ができ、軽量化、かつ低価格化が容易で、使い捨てあるいはリサイクルが可能であり、使用時の所定形状が保持されると共に、使用時の所定形状の変形にたいする強度を、未使用時に比べて向上させる事ができ、被清掃面に付着した塵埃等を吸引すると共に拭く事ができる構成も採用できる電気掃除機用吸込具を提供する事を目的としている。
【課題を解決するための手段】
【０００７】  本発明にかかる電気掃除機用吸込具は、次のように構成したものである。
（１）被清掃面に付着した塵埃等を吸引する為の電気掃除機に使用する電気掃除機用吸込具において、前記電気掃除機用吸込具は可撓性あるいは弾性を有する板状材を曲げるか折るかあるいは接合する事により所定形状の中空構造体が形成されてあると共に、前記中空構造体は塵埃吸引用の吸込口、及び前記電気掃除機に連通可能な接続部を有し、前記塵埃吸引時に前記中空構造体の内部に発生した負圧により前記中空構造体の所定形状が保持されてあるものである。【０００８】  （２）上記（１）記載の電気掃除機用吸込具において、前記吸込口の近傍に不織布、織布、あるいは紙よりなる拭き部材が形成されてあるものである。【０００９】  （３）上記（１）あるいは（２）記載の電気掃除機用吸込具において、前記可撓性あるいは弾性を有する板状材が紙あるいはポリエチレンテレフタレートにて形成されてあるものである。【００１０】  （４）上記（１）から（３）のいずれかに記載の電気掃除機用吸込具において、互いの前記板状材あるいは前記板状材と前記拭き部材が、接着剤、両面テープ、粘着テープ、ホッチキス、粘着剤、圧着、溶着、挟み込み、縫製のいずれかにて接合されてあるものである。
【発明の効果】
【００１１】  本発明の電気掃除機用吸込具は、次に示すような効果を得ることができる。なお、説明にあたっては、請求項の番号と同じ番号を付して説明する。【００１２】  （１）吸引使用時においては、中空構造体の内部には、外気にたいする負圧が発生する。発生した負圧は、中空構造体の内部にたいして、外部から内部に向かって、中空構造体の所定形状を圧縮させるような方向の圧力となる為、内部に発生した負圧により中空構造体の所定形状が変形する事を防止するように保持する事ができる。また、保持する事ができる為、電気掃除機用吸込具は、未使用時に比べて、吸引使用時の中空構造体の所定形状の機械的強度を向上させる事ができる。また、電気掃除機用吸込具は、可撓性あるいは弾性を有する板状材を、曲げるか折るかあるいは接合する事により所定形状の中空構造体が形成されてある為、製作を極めて容易、かつ迅速にする事ができると共に、安価に製作する事ができる。また、板状材は、可撓性あるいは弾性を有している為、形状加工が容易で、かつ変形させたり潰したりする事が容易にできる。また、板状材は、可撓性あるいは弾性を有している為、外部からの衝撃を吸収する事ができると共に、耐衝撃吸収性が高く、かつ、破損しにくい電気掃除機用吸込具を製作できる。また、電気掃除機用吸込具は、可撓性あるいは弾性を有する板状材の材質として紙を使用している為、軽量化をする事ができると共に、一般ごみ、あるいは可燃ごみとして、処理する事ができる。その為、使い捨てする事ができる。また、例えばＡＢＳ樹脂等を使用した場合に比べて、重量を軽くする事ができる。その為、電気掃除機用吸込具は、室内の床面、畳、じゅうたん、壁面、天井、タイル面、石材面、階段、台所等の油脂付着面、トイレ、浴室等の水付着面、各種デスク、ソファー、各種照明、換気扇、ガラス面、あるいは室外の玄関周り、コンクリート面、ベランダ、車のシート面、ダッシュボード、トランク内、ガラス面等、また、寝具、カーテン、ブラインド、衣類等、いずれの被清掃面にたいして使用した場合であっても、掃除する人の疲労を軽減できる為、疲れる事なく、長時間、連続で掃除する事ができる。【００１３】  また、例えば、筒状体の長手方向の長さを約１ｍに設定した場合には、紙が使用されてある板状材にて形成された約１ｍの長さを有する筒状体からなる電気掃除機用吸込具を使用できる為、例えば、天井、壁面等にたいして、長時間、連続で掃除した場合であっても、疲労する事無く、掃除する事ができる。さらにまた、本体の抜き部の周りには、切欠が形成されてある為、吸引使用時に、本体にたいする筒状体の傾き角度が変化した場合であっても、筒状体のがたつきが発生する事が無いと共に、吸引された空気が、電気掃除機用吸込具の外部に洩れる事を防止、あるいは軽減できる。【００１４】  （１）他の実施の形態として、本体の両側面に側部が形成されてあり、側部は、底部から上部に向かって、折り込んで形成されてあり、底部以外は接合されて無く、上部との間に隙間が形成されてある場合においては、吸引使用時においては、中空構造体の内部に発生した負圧により、側部に吸着部が形成される。その為、吸込口の角度が任意に変化する事により中空構造体の形���が任意に変化する場合であっても、電気掃除機用吸込具は、任意に変化する中空構造体の形状が変形する事を防比するように保持する事ができる。また、電気掃除機用吸込具は、例えば、筒状体の傾斜角度が任意に変化する事により中空構造体の形状が任意に変化する場合であっても、任意に変化した形状が変形する事を防止するように適時、保持する事ができる為、被清掃面の状態、被清掃面に付着した塵埃の状態、吸引圧力の状態が、任意に変化した場合であっても、適切な中空構造体の形状を保持すると共に、被清掃面に付着した塵埃を吸引する事ができる。【００１５】  （１）他の実施の形態として、本体の前面下部に、塵埃吸引用の吸込口が形成されてあり、上部に接続部が形成されてあると共に、接続部には、概丸形状の開口が形成されてある場合においては、概丸形状の開口が形成されてある接続部にたいして、電気掃除機の接続管、あるいは延長管を接続する事により、簡易、かつ迅速に、電気掃除機用吸込具を使用できる。また、電気掃除機用吸込具は、筒状体が形成されてない為、筒状体を製作する必要が無く、安価に製作する事ができる。【００１６】  （２）吸引使用時においては、被清掃面に付着した塵埃等を吸込口から吸引する事ができると共に、吸込口の近傍に形成されてある拭き部材により、塵埃等を拭取る事ができる。その為、吸引使用後においては、例えば、床面等の被清掃面に、ざらつき感が残ることが無く、かつ被清掃面を磨き上げる事ができる。また、電気掃除機用吸込具は、拭き部材が粘着される事により接合されてある展開形状に形成した後、折り込んで本体が形成されてある為、製作を極めて容易、かつ迅速にする事ができると共に、安価に製作する事ができる。また、拭き部材は、本体にたいして粘着される事により接合されてあるので、拭き部材の交換を容易にする事ができる。また、拭き部材の材質として紙が使用されてある為、軽量化をする事ができると共に、一般ごみ、あるいは可燃ごみとして、処理する事ができる。また、拭き部材の材質として不織布、あるいは織布が使用されてある場合には、被清掃面にたいする摩擦力を向上させる事ができる為、拭き部材は、極めて高い塵埃捕捉性を有する事ができる。さらにまた、拭き部材の材質として紙製の不織布を使用した場合においては、軽量化、及び一般ごみ、あるいは可燃ごみとしての処理が可能であると共に、極めて高い塵埃捕捉性を有する事ができる。【００１７】  （２）他の実施の形態として、拭き部材が、本体の粘着材が塗布されてある部分にたいして、粘着される事により接合されてあると共に、拭き部材の両端部が、本体と共に折り込まれる事により接合されてある場合においては、電気掃除機用吸込具を、長時間、連続で、かつ過酷な条件の被清掃面にて吸引使用した場合であっても、粘着される事により接合されてあると共に、本体と共に折り込まれる事により接合されてある拭き部材が、本体から剥離、あるいは脱落する事が無い。また、本体に塗布されてある粘着材の粘着強度が、多少、劣化した場合であっても、拭き部材は、本体と共に折り込まれる事により、本体にたいして位置ずれする事無く接合されてある為、被清掃面に付着した塵埃等を、確実に拭取る事ができる。【００１８���  （２）他の実施の形態として、底部にたいして、複数の吸込口が形成されてある本体を使用して、底部に、拭き部材を粘着する事により接合した場合には、吸引使用時においては、被清掃面に付着した塵埃等を、拭き部材を通して、吸込口から吸引する事ができると共に、吸込口から吸引する時に発生する負圧により、拭き部材を、底部に吸着させて保持する事ができる。その為、塵埃等を吸引する事ができると共に、底部にたいする拭き部材の脱落、位置ずれ等を防止する事ができ、拭き部材の耐久性を向上させる事ができる。【００１９】  （２）他の実施の形態として、凹部、及び凸部が形成されてある底部を使用した場合においては、拭き部材は、凹部、及び凸部にたいして粘着される事により接合されてある為、拭き部材は、概凹凸形状に形成される。その為、拭き部材に形成された概凹凸形状が、被清掃面に付着した塵埃等を、大量、かつ確実に捕捉する事ができ、高い拭取り性能を有する事ができる。【００２０】  （３）本体、及び筒状体よりなる中空構造体は、材質としてポリエチレンテレフタレートが使用されてある可撓性あるいは弾性を有する板状材にて形成されてある。ポリエチレンテレフタレートは、透明性を有している為、電気掃除機用吸込具は、透明な中空構造体を形成する事ができる。その為、吸込口より吸引された塵埃等が、接続部へ運ばれていく状態を、視覚にて確認する事ができる。また、ポリエチレンテレフタレートは、リサイクル処理が可能である為、リサイクル可能なごみとして、処理する事ができる。【００２１】  （４）互いの板状材あるいは板状材と拭き部材の接合手段として、接着剤、両面テープ、粘着テープ、ホッチキス、粘着剤、圧着、溶着、挟み込み、縫製のいずれかの手段が採用されてある。接合手段として、接着剤、両面テープ、ホッチキス、圧着、溶着、縫製を採用した場合には、互いの板状材あるいは板状材と拭き部材を、接合ずれを発生する事無く、確実に接合する事ができる。また、接合手段として、粘着テープ、粘着剤、挟み込みを採用した場合には、必要に応じて、適時、接合を解除させる事ができる為、板状材、あるいは拭き部材の交換を、容易にできる。
【発明を実施するための最良の形態】
【００２２】  製造を極めて容易にする事ができ、軽量化、かつ低価格化が容易で、使い捨てあるいはリサイクルが可能であり、使用時の所定形状が保持されると共に、使用時の所定形状の変形にたいする強度を、未使用時に比べて向上させる事ができ、被清掃面に付着した塵埃等を吸引すると共に拭く事ができる構成も採用できる電気掃除機用吸込具を提供するという目的を、被清掃面に付着した塵埃等を吸引する為の電気掃除機に使用する電気掃除機用吸込具において、前記電気掃除機用吸込具は可撓性あるいは弾性を有する板状材を曲げるか折るかあるいは接合する事により所定形状の中空構造体が形成されてあると共に、前記中空構造体は塵埃吸引用の吸込口、及び前記電気掃除機に連通可能な接続部を有し、前記塵埃吸引時に前記中空構造体の内部に発生した負圧により前記中空構造体の所定形状が保持されてある構成において実現した。
【実施例１】
【００２３】  図１から図１１にて実施例１を示す。図１は、本発明の電気掃除機用吸込具を前面側から見た斜視図である。図１において、１は電気掃除機用吸込具、２は中空構造体、３は本体、４は筒状体、５は吸込口、６は接続部、７は板状材、８は側部である。図２は、図１に使用する本体の展開図である。図２において、７１は山折り部、７２、７３は抜き部、７４、７５、７６は切欠、７７は直線部、７８、７９は突部である。図３は、図１に使用する筒状体を前面側から見た斜視図である。図３において、８７は直線部、８８は折返し部、８９は端部である。図４は、図１に使用する筒状体の展開図である。図４において、８１は山折り部、８２は突部、８４は切欠、９１は谷曲げ部である。図５は、図１の、断面図である。図６は、実施例１の他の実施の形態の電気掃除機用吸込具を前面側から見た斜視図である。図６において、１１は電気掃除機用吸込具、１２は中空構造体、１３は本体、１４は筒状体、１５は吸込口、１６は接続部、１７は板状材、１８は側部、３０は上部、４０は底部である。図７は、図６の電気掃除機用吸込具の未使用時の側部の状態を示す正面図である。図７において、９は隙間である。図８は、図６の電気掃除機用吸込具の吸引使用時の側部の状態を示す正面図である。図８において、１９は吸着部である。図９は、図６の電気掃除機用吸込具の吸引使用時の状態を示す断面図である。図９において、１０は角度である。図１０は、図６の電気掃除機用吸込具の吸引使用時の他の状態を示す断面図である。図１０において、２０は角度である。図１１は、実施例１の他の実施の形態の電気掃除機用吸込具を前面側から見た斜視図である。図１１において、２１は電気掃除機用吸込具、２２は中空構造体、２３は本体、２５は吸込口、２６は接続部、２７は板状材、２８は側部、５０は上部である。【００２４】  本発明の電気掃除機用吸込具１は、図１の如く、本体３、及び筒状体４よりなる中空構造体２にて形成されてある。中空構造体２は、可撓性あるいは弾性を有する板状材７にて形成されてあり、材質として紙が使用されてある。本体３の前面下部には、塵埃吸引用の吸込口５が形成されてあり、筒状体４の一端には、電気掃除機に連通可能な接続部６が形成されてある。本体３は、図２の如くの形状に形成された紙を折り込んだ後、概箱形状になるように嵌合されて形成されてあり、筒状体４は、図４の如くの形状に形成された紙を、折り込むと共に、曲げた後、テーパ状の概円筒形状になるように嵌合されて形成されてある。中空構造体２の形状については、使用する被清掃面の種類により、適時、最適な形状に設定できる。例えば、筒状体４の長手方向の長さを約１ｍに設定した場合には、紙が使用されてある板状材７にて形成された約１ｍの長さを有する筒状体４からなる電気掃除機用吸込具１を使用できる為、天井、壁面等にたいして、疲労する事無く、軽い操作にて使用する事ができる。また、使用目的に応じて、例えば、接合手段として、接着剤、両面テープ、粘着テープ、ホッチキス、粘着剤、圧着、溶着、挟み込み、縫製等のいずれかの手段を使用して互いの板状材７を接合する事により、中空構造体２を形成する事もできる。【００２５】  次に、電気掃除機用吸込具１の製作手順について説明する。まず、板状材７の材質に紙を使用して、図２の如く、山折り部７１、３箇所の抜き部７２、直線部７７、及び切欠７６を有する抜き部７３、切欠７４、７５、突部７８、７９を有する形状に形成する。形成方法としては、例えば、鋏、カッター等を使用して切断する方法を採用したり、トムソン型等を使用してプレス打ち抜きする方法を採用する等、適時、最適な方法が採用される。次に、図２において点線にて表示されてある山折り部７１を、山折りになるように折り込む。また、板状材７の材質に紙を使用して、図４の如く、山折り部８１、突部８２、切欠８４、直線部８７、折返し部８８、谷曲げ部９１を有する形状に形成した後、点線にて表示されてある山折り部８１を、山折りになるように折り込むと共に、突部８２が、切欠８４に挿入されるように、二点鎖線にて表示されてある谷曲げ部９１を使用して曲げ込み、図３の如く、一端に、電気掃除機に連通可能な接続部６が形成されてあると共に、他端に、直線部８７、折返し部８８、及び端部８９を有する、テーパ状の概円筒形状の筒状体４を製作する。次に、図２の抜き部７３にたいして、筒状体４を挿入させた後、概箱形状になるように、切欠７４にたいして突部７８を挿入させると共に、切欠７５にたいして突部７９を挿入させる。上記の手順により、塵埃吸引用の吸込口５、及び電気掃除機に連通可能な接続部６を有し、本体３、及び筒状体４より構成された中空構造体２からなる電気掃除機用吸込具１が製作される。【００２６】  次に、電気掃除機用吸込具１の吸引使用時の状態について、図１、及び図５を使用して説明する。電気掃除機用吸込具１は、接続部６を電気掃除機に接続させて吸引する事により、被清掃面に付着した塵埃等は、外気と共に、吸込口５から中空構造体２の内部を通って、接続部６から電気掃除機に吸引される。その為、吸引使用時においては、中空構造体２の内部には、外気にたいする負圧が発生する。発生した負圧は、中空構造体２を構成する本体３の内部、及び筒状体４の内部にたいして、外部から内部に向かって、本体３、及び筒状体４の形状を圧縮させるような方向の圧力となる。電気掃除機用吸込具１は、材質として、紙を使用した板状材７により、中空構造体２が形成されてある為、吸引使用時においては、内部に発生した負圧により中空構造体２の形状は保持される事になる。また、本体３の抜き部７３の周りに形成されてある切欠７６は、吸引使用時における本体３にたいする筒状体４の傾き角度が変化した場合に、筒状体４の外周面に沿って形状が変化するよう、設定されてある。【００２７】  実施例１の電気掃除機用吸込具１は、上記の如くの構成となっているので、吸引使用時においては、中空構造体２の内部には、外気にたいする負圧が発生する。発生した負圧は、中空構造体２の内部にたいして、外部から内部に向かって、中空構造体２の所定形状を圧縮させるような方向の圧力となる為、内部に発生した負圧により、中空構造体２の所定形状が変形する事を防止するように保持する事ができる。また、保持する事ができる為、電気掃除機用吸込具１は、未使用時に比べて、吸引使用時の中空構造体２の所定形状の機械的強度を向上させる事ができる。ま��、電気掃除機用吸込具１は、可撓性あるいは弾性を有する板状材７を、曲げるか折るかあるいは接合する事により所定形状の中空構造体２が形成されてある為、製作を極めて容易、かつ迅速にする事ができると共に、安価に製作する事ができる。また、板状材７は、可撓性あるいは弾性を有している為、形状加工が容易で、かつ変形させたり潰したりする事が容易にできる。また、板状材７は、可撓性あるいは弾性を有している為、外部からの衝撃を吸収する事ができると共に、耐衝撃吸収性が高く、かつ、破損しにくい電気掃除機用吸込具１を製作できる。また、電気掃除機用吸込具１は、可撓性あるいは弾性を有する板状材７の材質として紙を使用している為、軽量化をする事ができると共に、一般ごみ、あるいは可燃ごみとして、処理する事ができる。その為、使い捨てする事ができる。また、例えばＡＢＳ樹脂等を使用した場合に比べて、重量を軽くする事ができる。その為、電気掃除機用吸込具１は、室内の床面、畳、じゅうたん、壁面、天井、タイル面、石材面、階段、台所等の油脂付着面、トイレ、浴室等の水付着面、各種デスク、ソファー、各種照明、換気扇、ガラス面、あるいは室外の玄関周り、コンクリート面、ベランダ、車のシート面、ダッシュボード、トランク内、ガラス面等、また、寝具、カーテン、ブラインド、衣類等、いずれの被清掃面にたいして使用した場合であっても、掃除する人の疲労を軽減できる為、疲れる事なく、長時間、連続で掃除する事ができる。【００２８】  また、例えば、筒状体４の長手方向の長さを約１ｍに設定した場合には、紙が使用されてある板状材７にて形成された約１ｍの長さを有する筒状体４からなる電気掃除機用吸込具１を使用できる為、例えば、天井、壁面等にたいして、長時間、連続で掃除した場合であっても、疲労する事無く、掃除する事ができる。さらにまた、本体３の抜き部７３の周りには、切欠７６が形成されてある為、吸引使用時に、本体３にたいする筒状体４の傾き角度が変化した場合であっても、筒状体４のがたつきが発生する事が無いと共に、吸引された空気が、電気掃除機用吸込具１の外部に洩れる事を防止、あるいは軽減できる。【００２９】  実施例１の電気掃除機用吸込具１は、上記の如くの構成となっているが、中空構造体２の所定形状については、上記の如く、可撓性あるいは弾性を有する板状材７を曲げるか折る事により、概箱形状の本体３、及びテーパ状の概円筒形状の筒状体４よりなる中空構造体２が形成されてある構成以外にも、例えば、概箱形状の本体３、及びテーパ状の概円筒形状の筒状体４よりなる中空構造体２の所定形状の一部を、可撓性あるいは弾性を有する板状材７を接合することにより形成する等、使用目的に応じて、適時、設定できる。また、電気掃除機用吸込具１を使用する被清掃面の種類については、室内の床面、畳、じゅうたん、壁面、天井、タイル面、石材面、階段、台所等の油脂付着面、トイレ、浴室等の水付着面、各種デスク、ソファー、各種照明、換気扇、ガラス面、あるいは室外の玄関周り、コンクリート面、ベランダ、車のシート面、ダッシュボード、トランク内、ガラス面等、使用目的に応じて、適時、使用できる。さらにまた、寝具、カーテン、ブラインド、衣類等にも、使用���きる。【００３０】  次に、図６から図１０にて、実施例１の他の実施の形態の電気掃除機用吸込具を説明する。他の実施の形態の電気掃除機用吸込具１１は、図６の如く、本体１３、及び筒状体１４よりなる中空構造体１２にて形成されてある。中空構造体１２は、可撓性あるいは弾性を有する板状材１７にて形成されてあり、材質として紙が使用されてある。本体１３の前面下部には、塵埃吸引用の吸込口１５が形成されてあり、筒状体１４の一端には、電気掃除機に連通可能な接続部１６が形成されてある。本体１３は、紙を折り込んだ後、概箱形状になるように嵌合されて形成されてあり、筒状体１４は、紙を折り込むと共に、曲げた後、テーパ状の概円筒形状になるように嵌合されて形成されてある。本体１３の両側面には側部１８が形成されてあり、側部１８は、図７の如く、底部４０から上部３０に向かって、折り込んで形成されてあり、底部４０以外は接合されてない為、上部３０との間には隙間９が形成されてある。【００３１】  次に、電気掃除機用吸込具１１の吸引使用時の状態について、図８から図１０を使用して説明する。電気掃除機用吸込具１１は、吸引使用時においては、中空構造体１２の内部には、外気にたいする負圧が発生する。発生した負圧は、中空構造体１２を構成する本体１３の内部、及び筒状体１４の内部にたいして、外部から内部に向かって、本体１３、及び筒状体１４の形状を圧縮させるような方向の圧力となる。この時の圧力により、図８の如く、側部１８は、上部３０に吸い付けられる。その為、隙間９が無くなり、吸着部１９が形成される。また、電気掃除機用吸込具１１は、吸引使用時には、吸着部１９が形成される為、例えば、図９の如く、吸込口１５の角度を、所定の角度１０の状態にて吸引使用した時においても、例えば、図１０の如く、吸込口１５の角度を、所定の角度１０と異なる角度２０の状態にて吸引使用した時においても、それぞれの角度における中空構造体１２の形状は、保持される。【００３２】  実施例１の他の実施の形態の電気掃除機用吸込具１１は、上記の如くの構成となっているので、吸引使用時においては、中空構造体１２の内部に発生した負圧により、側部１８に吸着部１９が形成される。その為、吸込口１５の角度が任意に変化する事により中空構造体１２の形状が任意に変化する場合であっても、電気掃除機用吸込具１１は、任意に変化する中空構造体１２の形状が変形する事を防止するように保持する事ができる。また、電気掃除機用吸込具１１は、例えば、筒状体１４の傾斜角度が任意に変化する事により中空構造体１２の形状が任意に変化する場合であっても、任意に変化した形状が変形する事を防止するように適時、保持する事ができる為、被清掃面の状態、被清掃面に付着した塵埃の状態、吸引圧力の状態が、任意に変化した場合であっても、適切な中空構造体１２の形状を保持すると共に、被清掃面に付着した塵埃を吸引する事ができる。【００３３】  実施例１の他の実施の形態の電気掃除機用吸込具１１は、上記の如くの構成となっているが、吸着部１９の形成箇所については、上記の如くの側部１８以外にも、上部３０、底部４０、筒状体１４、吸込口１５の近傍等、使用目的に応じて、適時、設定できる。【００��４】  次に、図１１にて、実施例１の他の実施の形態の電気掃除機用吸込具を説明する。他の実施の形態の電気掃除機用吸込具２１は、図１１の如く、本体２３よりなる中空構造体２２にて形成されてある。本体２３の前面下部には、塵埃吸引用の吸込口２５が形成されてあり、上部５０に接続部２６が形成されてある。接続部２６は、概丸形状の開口が形成されてある。中空構造体２２は、可撓性あるいは弾性を有する板状材２７にて形成されてあり、材質として紙が使用されてある。【００３５】  実施例１の他の実施の形態の電気掃除機用吸込具２１は、上記の如くの構成となっているので、概丸形状の開口が形成されてある接続部２６にたいして、電気掃除機の接続管、あるいは延長管を接続する事により、簡易、かつ迅速に、電気掃除機用吸込具２１を使用できる。また、電気掃除機用吸込具２１は、筒状体が形成されてない為、筒状体を製作する必要が無く、安価に製作する事ができる。
【実施例２】
【００３６】  図１２、図１３、図１４、図１７、及び図１８にて実施例２を示す。図１２は、本発明の電気掃除機用吸込具を前面側から見た斜視図である。図１２において、３１は電気掃除機用吸込具、３２は中空構造体、３３は本体、３４は筒状体、３５は吸込口、３６は接続部、３７は板状材、３８は側部、３９は拭き部材、６０は底部である。図１３は、図１２に使用する本体、及び拭き部材の展開図である。図１４は、実施例２の他の実施の形態の電気掃除機用吸込具を前面側から見た斜視図である。図１４において、４１は電気掃除機用吸込具、４２は中空構造体、４３は本体、４４は筒状体、４５は吸込口、４６は接続部、４７は板状材、４８は側部、４９は拭き部材、９５は底部である。図１７は、実施例２の他の実施の形態の電気掃除機用吸込具に使用する本体の展開図である。図１７において、９４は吸込口、９７は底部、１０３は本体である。図１８は、実施例２の他の実施の形態の電気掃除機用吸込具の底部の断面図である。図１８において、９２は凹部、９３は凸部、９８は底部、９９は拭き部材である。【００３７】  本発明の電気掃除機用吸込具３１は、図１２の如く、本体３３、及び筒状体３４よりなる中空構造体３２にて形成されてある。中空構造体３２は、可撓性あるいは弾性を有する板状材３７にて形成されてあり、材質として紙が使用されてある。本体３３の前面下部には、塵埃吸引用の吸込口３５が形成されてあり、筒状体３４の一端には、電気掃除機に連通可能な接続部３６が形成されてある。本体３３の底部６０、及び側部３８には、拭き部材３９が吸込口３５の近傍になるように形成されてある。本体３３は、図１３の如くの展開形状に形成した後、折り込んで形成されてある。また、展開形状に形成されてある本体３３の所定の部分には、粘着材が塗布されてあり、塗布されてある部分にたいして拭き部材３９が、粘着される事により接合されてある。拭き部材３９の材質としては、紙が使用されてある。拭き部材３９の材質は、紙以外にも、使用目的に応じて、適時、不織布、あるいは織布を使用することができる。【００３８】  実施例２の電気掃除機用吸込具３１は、上記の如くの構成となっているので、吸引使用時においては、被清掃面に付着した塵埃等を吸込口３５から吸引する事ができると共に、吸込口３５の近傍に形成されてある拭き部材３９により、塵埃等を拭取る事ができる。その為、吸引使用後においては、例えば、床面等の被清掃面に、ざらつき感が残ることが無く、かつ被清掃面を磨き上げる事ができる。また、電気掃除機用吸込具３１は、拭き部材３９が粘着される事により接合されてある展開形状に形成した後、折り込んで本体３３が形成されてある為、製作を極めて容易、かつ迅速にする事ができると共に、安価に製作する事ができる。また、拭き部材３９は、本体３３にたいして粘着される事により接合されてあるので、拭き部材３９の交換を容易にする事ができる。また、拭き部材３９の材質として紙が使用されてある為、軽量化をする事ができると共に、一般ごみ、あるいは可燃ごみとして、処理する事ができる。また、拭き部材３９の材質として不織布、あるいは織布が使用されてある場合には、被清掃面にたいする摩擦力を向上させる事ができる為、拭き部材３９は、極めて高い塵埃捕捉性を有する事ができる。さらにまた、拭き部材３９の材質として紙製の不織布を使用した場合においては、軽量化、及び一般ごみ、あるいは可燃ごみとしての処理が可能であると共に、極めて高い塵埃捕捉性を有する事ができる。【００３９】  実施例２の電気掃除機用吸込具３１は、上記の如くの構成となっているが、拭き部材３９を形成する箇所については、上記の如く、本体３３の底部６０、及び側部３８以外であっても、吸込口３５の近傍に形成されてあるならば、吸込口３５の周囲、前面の上側、本体３３の角部、筒状体３４の外周面等、いずれの箇所であっても形成する事ができる。また、拭き部材３９を形成する方法についても、上記の如く、本体３３にたいして粘着される事により接合されて形成されてある方法以外にも、例えば、本体３３にたいして、拭き部材３９を、概螺旋状になるように巻き付けた後、両端を結ぶ方法を採用したり、拭き部材３９を、概筒状に形成した後、本体３３の外周部に被せる方法を採用する等、使用目的に応じて、最適な方法を設定できる。【００４０】  次に、図１４にて、実施例２の他の実施の形態の電気掃除機用吸込具を説明する。他の実施の形態の電気掃除機用吸込具４１は、図１４の如く、本体４３、及び筒状体４４よりなる中空構造体４２にて形成されてある。中空構造体４２は、可撓性あるいは弾性を有する板状材４７にて形成されてあり、材質として紙が使用されてある。本体４３の前面下部には、塵埃吸引用の吸込口４５が形成されてあり、筒状体４４の一端には、電気掃除機に連通可能な接続部４６が形成されてある。本体４３の底部９５、及び側部４８には、拭き部材４９が吸込口４５の近傍になるように形成されてある。拭き部材４９は、本体４３の粘着材が塗布されてある部分にたいして、粘着される事により接合されてあると共に、拭き部材４９の両端部が、本体４３と共に折り込まれる事により接合されてある。【００４１】  実施例２の他の実施の形態の電気掃除機用吸込具４１は、上記の如くの構成となっているので、拭き部材４９は、本体４３の粘着材が塗布されてある部分にたいして、粘着される事により接合されてあると共に、拭き部材４９の両端部が、本体４３と共に折り込まれる事により接合されてある。その為、電気掃除機用吸込具４１を、長時間、連続で、かつ過酷な条件の被清掃面にて吸引使用した場合であっても、粘着される事により接合されてあると共に、本体４３と共に折り込まれる事により接合されてある拭き部材４９が、本体４３から剥離、あるいは脱落する事が無い。また、本体４３に塗布されてある粘着材の粘着強度が、多少、劣化した場合であっても、拭き部材４９は、本体４３と共に折り込まれる事により、本体４３にたいして位置ずれする事無く接合されてある為、被清掃面に付着した塵埃等を、確実に拭取る事ができる。【００４２】  実施例２の他の実施の形態の電気掃除機用吸込具４１は、上記の如くの構成となっているが、拭き部材４９を本体４３と共に折り込む事により接合する箇所については、上記以外にも、例えば、底部９５と側部４８の間、筒状体４４と本体４３の間等、折り込む事が可能な箇所であるならば、使用目的に応じて、適時、���定できる。【００４３】  次に、図１７にて、実施例２の他の実施の形態の電気掃除機用吸込具に使用する本体を説明する。他の実施の形態の電気掃除機用吸込具に使用する本体１０３は、図１７の如く底部９７にたいして、複数の吸込口９４が形成されてある。【００４４】  実施例２の他の実施の形態の電気掃除機用吸込具として、底部９７にたいして、複数の吸込口９４が形成されてある本体１０３を使用して、底部９７に、拭き部材を粘着する事により接合した場合には、実施例２の他の実施の形態の電気掃除機用吸込具は、吸引使用時においては、被清掃面に付着した塵埃等を、拭き部材を通して、吸込口９４から吸引する事ができると共に、吸込口９４から吸引する時に発生する負圧により、拭き部材を、底部９７に吸着させて保持する事ができる。その為、塵埃等を吸引する事ができると共に、底部９７にたいする拭き部材の脱落、位置ずれ等を防止する事ができ、拭き部材の耐久性を向上させる事ができる。【００４５】  次に、図１８にて、実施例２の他の実施の形態の電気掃除機用吸込具に使用する底部を説明する。他の実施の形態の電気掃除機用吸込具に使用する底部９８は、図１８の如く、凹部９２、及び凸部９３が形成されてあり、底部９８にたいして、拭き部材９９が、粘着される事により、接合されてある。凹部９２、及び凸部９３の形成方法については、例えば、エンボス加工等、適時、設定できる。【００４６】  実施例２の他の実施の形態の電気掃除機用吸込具として、凹部９２、及び凸部９３が形成されてある底部９８を使用した場合においては、拭き部材９９は、凹部９２、及び凸部９３にたいして粘着される事により接合されてある為、拭き部材９９は、概凹凸形状に形成される。その為、拭き部材９９に形成された概凹凸形状が、被清掃面に付着した塵埃等を、大量、かつ確実に捕捉する事ができ、高い拭取り性能を有する事ができる。
【実施例３】
【００４７】  図１５にて実施例３を示す。図１５は、本発明の電気掃除機用吸込具を前面側から見た斜視図である。図１５において、５１は電気掃除機用吸込具、５２は中空構造体、５３は本体、５４は筒状体、５５は吸込口、５６は接続部、５７は板状材、５８は側部である。【００４８】  本発明の電気掃除機用吸込具５１は、図１５の如く、本体５３、及び筒状体５４よりなる中空構造体５２にて形成されてある。中空構造体５２は、可撓性あるいは弾性を有する板状材５７にて形成されてあり、材質としてポリエチレンテレフタレートが使用されてある。本体５３の前面下部には、塵埃吸引用の吸込口５５が形成されてあり、筒状体５４の一端には、電気掃除機に連通可能な接続部５６が形成されてある。本体５３は、ポリエチレンテレフタレートが使用されてある板状材５７を折り込んだ後、概箱形状になるように嵌合されて形成されてあり、筒状体５４は、ポリエチレンテレフタレートが使用されてある板状材５７を、折り込むと共に、曲げた後、テーパ状の概円筒形状になるように嵌合されて形成されてある。ポリエチレンテレフタレートは、一般的には、ＰＥＴ樹脂と呼ばれ、各種ケース、ペットボトル等に使用されている。【００４９】  実施例３の電気掃除機用吸込具５１は、上記の如くの構成となっているので、本体５３及び筒状体５４よりなる中空構造体５２は、材質としてポリエチレンテレフタレートが使用されてある可撓性あるいは弾性を有する板状材５７にて形成されてある。ポリエチレンテレフタレートは、透明性を有している為、電気掃除機用吸込具５１は、透明な中空構造体５２を形成する事ができる。その為、吸込口５５より吸引された塵埃等が、接続部５６へ運ばれていく状態を、視覚にて確認する事ができる。また、ポリエチレンテレフタレートは、リサイクル処理が可能である為、リサイクル可能なごみとして、処理する事ができる。
【実施例４】
【００５０】  図１６にて実施例４を示す。図１６は、本発明の電気掃除機用吸込具を前面側から見た斜視図である。図１６において、５９は拭き部材、６１は電気掃除機用吸込具、６２は中空構造体、６３は本体、６４は筒状体、６５は吸込口、６６は接続部、６７は板状材、６８は側部、６９はホッチキス止め部、７０は接合部、８０は粘着紙テープ、９０は紙テープ用台紙、９６は底部である。【００５１】  本発明の電気掃除機用吸込具６１は、図１６の如く、本体６３、及び筒状体６４よりなる中空構造体６２にて形成されてある。中空構造体６２は、可撓性あるいは弾性を有する板状材６７にて形成されてあり、材質として紙が使用されてある。本体６３の前面下部には、塵埃吸引用の吸込口６５が形成されてあり、筒状体６４の一端には、電気掃除機に連通可能な接続部６６が形成されてある。本体６３は、板状材６７を折るかあるいは重ね合わせて形成されてあり、重ね合わせた箇所には、ホッチキスにて接合されたホッチキス止め部６９が形成されてある。また、拭き部材５９は、本体６３の底部９６、及び側部６８にたいして粘着される事により、接合されてある。また、拭き部材５９の所定箇所の端部は、粘着紙テープ８０にて、拭き部材５９と本体６３の側部６８が接合されてある。粘着紙テープ８０は、本体６３に形成された紙テープ用台紙９０の上面に、脱着可能に装着されてあり、必要に応じて、適時、使用される。また、互いの板状材６７あるいは板状材６７と拭き部材５９の接合手段としては、上記の手段以外にも、接着剤、両面テープ、粘着剤、圧着、溶着、挟み込み、縫製のいずれかの手段を使用できる。また、図１６においては、ホッチキス、及び粘着紙テープ８０を使用した接合手段を説明したが、使用目的に応じて、例えば、粘着紙テープ８０は使用しない等、適時、接合手段を選定できる。【００５２】  実施例４の電気掃除機用吸込具６１は、上記の如くの構成となっているので、互いの板状材６７あるいは板状材６７と拭き部材５９の接合手段として、接着剤、両面テープ、粘着テープ、ホッチキス、粘着剤、圧着、溶着、挟み込み、縫製のいずれかの手段が採用されてある。接合手段として、接着剤、両面テープ、ホッチキス、圧着、溶着、縫製を採用した場合には、互いの板状材６７あるいは板状材６７と拭き部材５９を、接合ずれを発生する事無く、確実に接合する事ができる。また、接合手段として、粘着テープ、粘着剤、挟み込みを採用した場合には、必要に応じて、適時、接合を解除させる事ができる為、板状材６７、あるいは拭き部材５９の交換を、容易にできる。
【産業上の利用可能性】
【００５３】  本発明の電気掃除機用吸込具は、被清掃面に付着した塵埃等を吸引する為の電気掃除機に使用するものである。具体的には、室内の床面、畳、じゅうたん、壁面、天井、タイル面、石材面、階段、台所等の油脂付着面、トイレ、浴室等の水付着面、各種デスク、ソファー、各種照明、換気扇、ガラス面、あるいは室外の玄関周り、コンクリート面、ベランダ、車のシート面、ダッシュボード、トランク内、ガラス面等、また、寝具、カーテン、ブラインド、衣類等、いずれの被清掃面にたいしても、好適に使用することができる。
【図面の簡単な説明】
【００５４】
【図１】  本発明の電気掃除機用吸込具を前面側から見た斜視図である。
【図２】  図１に使用する本体の展開図である。
【図３】  図１に使用する筒状体を前面側から見た斜視図である。
【図４】  図１に使用する筒状体の展開図である。
【図５】  図１の、断面図である。
【図６】  実施例１の他の実施の形態の電気掃除機用吸込具を前面側から見た斜視図である。
【図７】  図６の電気掃除機用吸込具の未使用時における側部の状態を示す正面図である。
【図８】  図６の電気掃除機用吸込具の吸引使用時における側部の状態を示す正面図である。
【図９】  図６の電気掃除機用吸込具の吸引使用時の状態を示す断面図である。
【図１０】  図６の電気掃除機用吸込具の吸引使用時の他の状態を示す断面図である。
【図１１】  実施例１の他の実施の形態の電気掃除機用吸込具を前面側から見た斜視図である。
【図１２】  本発明の電気掃除機用吸込具を前面側から見た斜視図である。
【図１３】  図１２に使用する本体、及び拭き部材の展開図である。
【図１４】  実施例２の他の実施の形態の電気掃除機用吸込具を前面側から見た斜視図である。
【図１５】  本発明の電気掃除機用吸込具を前面側から見た斜視図である。
【図１６】  本発明の電気掃除機用吸込具を前面側から見た斜視図である。
【図１７】  実施例２の他の実施の形態の電気掃除機用吸込具に使用する本体の展開図である。
【図１８】  実施例２の他の実施の形態の電気掃除機用吸込具の底部の断面図である。
【符号の説明】
【００５５】１、１１、２１、３１、４１、５１、６１  電気掃除機用吸込具
２、１２、２２、３２、４２、５２、６２  中空構造体
３、１３、２３、３３、４３、５３、６３、１０３  本体
４、１４、３４、４４、５４、６４  筒状体
５、１５、２５、３５、４５、５５、６５、９４  吸込口
６、１６、２６、３６、４６、５６、６６  接続部
７、１７、２７、３７、４７、５７、６７  板状材
８、１８、２８、３８、４８、５８、６８  側部  ９  隙間  １０、２０  角度
１９  吸着部  ３０、５０  上部  ３９、４９、５９、９９  拭き部材
４０、６０、９５、９６、９７、９８  底部  ６９  ホッチキス止め部  ７０  接合部
７１、８１  山折り部  ７２、７３  抜き部  ７４、７５、７６、８４  切欠
７７、８７  直線部  ７８、７９、８２  突部  ８０  粘着紙テープ  ８８  折返し部
８９  端部  ９０  紙テープ用台紙  ９１  谷曲げ部  ９２  凹部  ９３  凸部
【図１】
2006087864.tif 000003
【図２】
2006087864.tif 000004
【図３】
2006087864.tif 000005
【図４】
2006087864.tif 000006
【図５】
2006087864.tif 000007
【図６】
2006087864.tif 000008
【図７】
2006087864.tif 000009
【図８】
2006087864.tif 000010
【図９】
2006087864.tif 000011
【図１０】
2006087864.tif 000012
【図１１】
2006087864.tif 000013
【図１２】
2006087864.tif 000014
【図１３】
2006087864.tif 000015
【図１４】
2006087864.tif 000016
【図１５】
2006087864.tif 000017
【図１６】
2006087864.tif 000018
【図１７】
2006087864.tif 000019
【図１８】
2006087864.tif 000020